(57)【要約】      （修正有）【課題】従来よりも少ない手間で画像処理装置に対する課金額の支払いを行う。【解決手段】画像処理の実行に応じて課金を行う画像処理装置１において、画像処理要求を受け付け、受け付けた画像処理要求に基づく画像処理を実行する際の課金額を算出し、予め定められた期間ごとに利用料金を支払って利用するモバイル端末２を識別するための端末識別情報を取得し、モバイル端末２を認証する認証サーバ３に対して、取得した端末識別情報に基づくモバイル端末２の認証処理を要求し、要求した認証処理によりモバイル端末２が認証された場合に、画像処理要求に基づく画像処理を実行し、モバイル端末２の利用料金を課金する課金サーバ４に対して、算出された課金額を、認証されたモバイル端末２の利用料金として課金する処理を要求する。【選択図】図１
2015022506.tif 000002
【特許請求の範囲】
【請求項１】
画像処理の実行に応じて課金を行う画像処理装置であって、
画像処理要求を受け付ける画像処理要求受付部と、
受け付けた前記画像処理要求に基づく前記画像処理を実行する際の課金額を算出する課金額算出部と、
予め定められた期間ごとに利用料金を支払って利用する情報処理端末を識別するための端末識別情報を取得する識別情報取得部と、
前記情報処理端末を認証する認証装置に対して、取得した前記端末識別情報に基づく前記情報処理端末の認証処理を要求する認証処理要求部と、
要求した前記認証処理により前記情報処理端末が認証された場合に、前記画像処理要求に基づく前記画像処理を実行する画像処理実行部と、
前記情報処理端末の利用料金を課金する課金装置に対して、算出された前記課金額を、認証された前記情報処理端末の利用料金として課金する処理を要求する課金処理要求部と
を含むことを特徴とする画像処理装置。
【請求項２】
前記認証処理要求部は、
前記画像処理装置を識別するための装置識別情報を取得し、
取得した前記端末識別情報及び取得した前記装置識別情報に基づく前記情報処理端末の認証処理を要求する
ことを特徴とする請求項１に記載の画像処理装置。
【請求項３】
前記識別情報取得部は、前記情報処理端末に設定されている認証情報を取得し、
前記認証処理要求部は、取得した前記端末識別情報及び取得した前記認証情報に基づく前記情報処理端末の認証処理を要求する
ことを特徴とする請求項１又は２に記載の画像処理装置。
【請求項４】
前記課金処理要求部は、要求した前記課金処理に失敗した場合に、予め定められた間隔で、失敗した前記課金処理を再度要求する
ことを特徴とする請求項１〜３のいずれか１項に記載の画像処理装置。
【請求項５】
前記画像処理実行部は、失敗した前記課金処理を再度要求する回数が予め定められた回数を超えた場合に、画像処理を実行する機能を停止する
ことを特徴とする請求項４に記載の画像処理装置。
【請求項６】
失敗した前記課金処理の情報を前記画像処理装置の外部へ出力する情報出力部
を含み、
前記画像処理実行部は、前記情報の出力が完了すると、前記画像処理を実行する機能の停止を解除する
ことを特徴とする請求項５に記載の画像処理装置。
【請求項７】
画像処理の実行に応じて課金を行う画像処理装置と、予め定められた期間ごとに利用料金を支払って利用する情報処理端末と、前記情報処理端末を認証する認証装置と、前記情報処理端末の利用料金を課金する課金装置とを有する画像処理システムにおいて、
画像処理要求を受け付ける画像処理要求受付部と、
受け付けた前記画像処理要求に基づく前記画像処理を実行する際の課金額を算出する課金額算出部と、
前記情報処理端末を識別するための端末識別情報を取得する識別情報取得部と、
前記認証装置に対して、取得した前記端末識別情報に基づく前記情報処理端末の認証処理を要求する認証処理要求部と、
要求した前記認証処理により前記情報処理端末が認証された場合に、前記画像処理要求に基づく前記画像処理を実行する画像処理実行部と、
前記課金装置に対して、算出された前記課金額を、認証された前記情報処理端末の利用料金として課金する処理を要求する課金処理要求部と
を含むことを特徴とする画像処理システム。
【請求項８】
画像処理の実行に応じて課金を行う画像処理装置を制御する制御プログラムであって、
画像処理要求を受け付けるステップと、
受け付けた前記画像処理要求に基づく前記画像処理を実行する際の課金額を算出するステップと、
予め定められた期間ごとに利用料金を支払って利用する情報処理端末を識別するための端末識別情報を取得するステップと、
前記情報処理端末を認証する認証装置に対して、取得した前記端末識別情報に基づく前記情報処理端末の認証処理を要求するステップと、
要求した前記認証処理により前記情報処理端末が認証された場合に、前記画像処理要求に基づく前記画像処理を実行するステップと、
前記情報処理端末の利用料金を課金する課金装置に対して、算出された前記課金額を、認証された前記情報処理端末の利用料金として課金する処理を要求するステップと
を情報処理装置に実行させることを特徴とする制御プログラム。
【発明の詳細な説明】
【技術分野】
【０００１】
本発明は、画像処理装置、画像処理システム及び制御プログラムに関し、特に、画像処理の実行に対する課金処理に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
また、このような画像処理装置において、印刷処理等の各種画像処理の実行に応じた課金が行われる場合、利用者は画像処理装置に備えられた支払機に現金を投入して課金額を支払う。さらに、利用者の利便性の向上のため、ＩＣカードや携帯端末等の電子マネー機能を搭載した媒体が画像処理装置に備えられたカードリーダ等にかざされることにより、媒体を認識して、課金額をその媒体に入金されている電子マネーから徴収する方法が提案されている（例えば、特許文献１を参照）。
【発明の概要】
【発明が解決しようとする課題】
【０００４】
しかしながら、画像処理装置による画像処理の実行に対する課金額を現金で支払う場合、必要な現金の準備やお釣りの回収等が必要であり、手間がかかる。また、特許文献１に開示された技術においては、現金で支払う場合のようにお釣りを回収する必要はないが、少なくとも課金額分の電子マネーを媒体へ予め入金処理しておく必要があり、手間がかかる。
【０００５】
本発明は、このような課題を解決するためになされたものであり、従来よりも少ない手間で画像処理装置に対する課金額の支払いを行うことを目的とする。
【課題を解決するための手段】
【０００６】
上記課題を解決するために、本発明の一態様は、画像処理の実行に応じて課金を行う画像処理装置であって、画像処理要求を受け付ける画像処理要求受付部と、受け付けた前記画像処理要求に基づく前記画像処理を実行する際の課金額を算出する課金額算出部と、予め定められた期間ごとに利用料金を支払って利用する情報処理端末を識別するための端末識別情報を取得する識別情報取得部と、前記情報処理端末を認証する認証装置に対して、取得した前記端末識別情報に基づく前記情報処理端末の認証処理を要求する認証処理要求部と、要求した前記認証処理により前記情報処理端末が認証された場合に、前記画像処理要求に基づく前記画像処理を実行する画像処理実行部と、前記情報処理端末の利用料金を課金する課金装置に対して、算出された前記課金額を、認証された前記情報処理端末の利用料金として課金する処理を要求する課金処理要求部とを含むことを特徴とする。
【０００７】
また、本発明の他の態様は、画像処理の実行に応じて課金を行う画像処理装置と、予め定められた期間ごとに利用料金を支払って利用する情報処理端末と、前記情報処理端末を認証する認証装置と、前記情報処理端末の利用料金を課金する課金装置とを有する画像処理システムにおいて、画像処理要求を受け付ける画像処理要求受付部と、受け付けた前記画像処理要求に基づく前記画像処理を実行する際の課金額を算出する課金額算出部と、前記情報処理端末を識別するための端末識別情報を取得する識別情報取得部と、前記認証装置に対して、取得した前記端末識別情報に基づく前記情報処理端末の認証処理を要求する認証処理要求部と、要求した前記認証処理により前記情報処理端末が認証された場合に、前記画像処理要求に基づく前記画像処理を実行する画像処理実行部と、前記課金装置に対して、算出された前記課金額を、認証された前記情報処理端末の利用料金として課金する処理を要求する課金処理要求部とを含むことを特徴とする。
【０００８】
また、本発明の更に他の態様は、画像処理の実行に応じて課金を行う画像処理装置を制御する制御プログラムであって、画像処理要求を受け付けるステップと、受け付けた前記画像処理要求に基づく前記画像処理を実行する際の課金額を算出するステップと、予め定められた期間ごとに利用料金を支払って利用する情報処理端末を識別するための端末識別情報を取得するステップと、前記情報処理端末を認証する認証装置に対して、取得した前記端末識別情報に基づく前記情報処理端末の認証処理を要求するステップと、要求した前記認証処理により前記情報処理端末が認証された場合に、前記画像処理要求に基づく前記画像処理を実行するステップと、前記情報処理端末の利用料金を課金する課金装置に対して、算出された前記課金額を、認証された前記情報処理端末の利用料金として課金する処理を要求するステップとを情報処理装置に実行させることを特徴とする。
【発明の効果】
【０００９】
本発明によれば、従来よりも少ない手間で画像処理装置に対する課金額の支払いを行うことができる。
【図面の簡単な説明】
【００１０】
【図１】本発明の実施形態に係るシステムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係る画像処理装置の主制御部の機能構成を示すブロック図である。
【図５】本発明の実施形態に係る認証サーバの機能構成を示すブロック図である。
【図６】本発明の実施形態に係る認証処理を示すフローチャートである。
【図７】本発明の実施形態に係る課金サーバの機能構成を示すブロック図である。
【図８】本発明の実施形態に係る利用料金テーブルを示す図である。
【図９】本発明の実施形態に係る課金処理を示すフローチャートである。
【図１０】本発明の実施形態に係るシステムの動作例を示すシーケンス図である。
【図１１】本発明の実施形態に係る画像処理装置の主制御部の機能構成を示すブロック図である。
【図１２】本発明の実施形態に係る未課金処理管理部の動作を示すフローチャートである。
【図１３】本発明の実施形態に係るシステムの動作例を示すシーケンス図である。
【図１４】本発明の実施形態に係るシステムの動作例を示すシーケンス図である。
【発明を実施するための形態】
【００１１】
以下、図面を参照して、本発明の実施形態を詳細に説明する。本実施形態においては、画像処理装置による画像処理の実行に応じた課金額を、スマートフォンやタブレット端末等のモバイル端末の利用料金として課金する画像処理システムを例として説明する。また、本実施形態においては、画像処理装置に含まれるプリンタ機能による印刷処理を、画像処理装置による画像処理の例として説明する。
【００１２】
図１は、本実施の形態に係る画像処理システムの運用形態の例を示す図である。図１に示すように、本実施形態に係る画像処理システムは、画像処理装置１、モバイル端末２、認証サーバ（認証装置）３及び課金サーバ（課金装置）４が、インターネットやＬＡＮ（Ｌｏｃａｌ  Ａｒｅａ  Ｎｅｔｗｏｒｋ）等のネットワークを介して接続されて構成される。
【００１３】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。本実施形態に係る画像処理装置１は、利用者の指示により入力された印刷ジョブに基づく印刷処理を行うとともに、課金サーバ４に対して、その印刷処理の実行に応じた課金処理を要求する。なお、印刷処理においては、例えば、印刷用紙のサイズ、枚数、カラー印刷の有無等に応じて課金されるものとする。
【００１４】
モバイル端末２は、スマートフォン、タブレット端末、ＰＤＡ（Ｐｅｒｓｏｎａｌ  Ｄｉｇｉｔａｌ  Ａｓｓｉｓｔａｎｔｓ）、モバイル型のＷｉ−Ｆｉ（Ｗｉｒｅｌｅｓｓ  Ｆｉｄｅｌｉｔｙ）ルータ等の情報処理端末である。本実施形態に係るモバイル端末２は、この端末を利用するための利用料金が必要であり、課金サーバ４により、各モバイル端末２の利用料金が予め定められた期間ごと（例えば、月ごと）に管理されている。また、本実施形態に係るモバイル端末２は、この端末を利用する利用者情報を記憶するとともに、画像処理装置１との間で近距離無線通信を行う機能を有する。利用者情報は、例えば、利用者を識別する利用者ＩＤ、電話番号及び利用者を認証するための認証情報（例えば、暗証番号）の設定有無を示す情報を含む。
【００１５】
認証サーバ３は、モバイル端末２を利用するためのサービスを提供する会社等が運用するサーバであり、モバイル端末２に格納されている利用者情報に基づいてモバイル端末２の認証処理を行う。課金サーバ４は、モバイル端末２を利用するためのサービスを提供する会社等が運用するサーバであり、各モバイル端末２の利用料金の課金処理を行う。
【００１６】
次に、本実施形態に係る画像処理装置１、モバイル端末２、認証サーバ３及び課金サーバ４のハードウェア構成について図２を参照して説明する。なお、画像処理装置１は、図２に示すハードウェア構成に加えて、スキャナ、プリンタ等を実現するためのエンジンを備える。以下の説明においては、画像処理装置１のハードウェア構成を例として説明するが、モバイル端末２、認証サーバ３及び課金サーバ４についても同様である。
【００１７】
図２に示すように、本実施形態に係る画像処理装置１は、一般的なサーバやＰＣ等と同様の構成を含む。すなわち、本実施形態に係る画像処理装置１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。
【００１８】
ＣＰＵ１０は演算手段であり、画像処理装置１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１９】
Ｉ／Ｆ５０は、バス８０と各種のハードウェアやネットワーク等を接続し制御する。ＬＣＤ６０は、ユーザが画像処理装置１の状態を確認するための視覚的ユーザインタフェースである。操作部７０は、キーボードやマウス等、ユーザが画像処理装置１に情報を入力するためのユーザインタフェースである。なお、図１において説明したように、本実施形態に係る認証サーバ３及び課金サーバ４はサーバとして運用される。したがって、ＬＣＤ６０及び操作部７０等のユーザインタフェースは省略可能である。
【００２０】
このようなハードウェア構成において、ＲＯＭ３０やＨＤＤ４０若しくは図示しない光学ディスク等の記憶媒体に格納されたプログラムがＲＡＭ２０に読み出され、ＣＰＵ１０の制御に従って動作することにより、ソフトウェア制御部が構成される。このようにして構成されたソフトウェア制御部と、ハードウェアとの組み合わせによって、本実施形態に係る画像処理装置１、モバイル端末２、認証サーバ３及び課金サーバ４の機能を実現する機能ブロックが構成される。
【００２１】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１１１、排紙トレイ１１２、ディスプレイパネル１１３、給紙テーブル１１４、プリントエンジン１１５、排紙トレイ１１６、ネットワークＩ／Ｆ１１７及び近距離通信Ｉ／Ｆ１１８を有する。
【００２２】
また、コントローラ１００は、主制御部１３０、エンジン制御部１０１、入出力制御部１０２、画像処理部１０３及び操作表示制御部１０４を有する。図３に示すように、本実施形態に係る画像処理装置１は、スキャナユニット１１１、プリントエンジン１１５を有する複合機として構成されている。なお、図３においては、電気的接続を実線の矢印で示しており、用紙の流れを破線の矢印で示している。
【００２３】
ディスプレイパネル１１３は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１１７は、画像処理装置１がネットワークを介して管理者用端末等の他の機器と通信するためのインタフェースであり、Ｅｔｈｅｒｎｅｔ（登録商標）、ＵＳＢ等のインタフェースが用いられる。
【００２４】
近距離通信Ｉ／Ｆ１１８は、画像処理装置１が近距離無線通信により他の機器と通信するためのインタフェースであり、Ｂｌｕｅｔｏｏｔｈ（登録商標）、Ｗｉ−Ｆｉ（Ｗｉｒｅｌｅｓｓ  Ｆｉｄｅｌｉｔｙ）、ＦｅｌｉＣａ（登録商標）等のインタフェースが用いられる。本実施形態に係る画像処理システムの利用者は、モバイル端末２を近距離通信Ｉ／Ｆ１１８に近づけることにより、モバイル端末に内蔵された記憶媒体に格納されている利用者情報を、近距離通信Ｉ／Ｆ１１８を介して主制御部１３０に読み取らせる。
【００２５】
コントローラ１００は、ソフトウェアとハードウェアとの組み合わせによって構成される。具体的には、ＲＯＭ３０やＨＤＤ４０等の不揮発性記憶媒体に格納されたファームウェア等の制御プログラムが、ＲＡＭ２０にロードされ、それらのプログラムに従ってＣＰＵ１０が演算を行うことにより構成されるソフトウェア制御部と集積回路などのハードウェアとによってコントローラ１００が構成される。コントローラ１００は、画像処理装置１全体を制御する制御部として機能する。
【００２６】
主制御部１３０は、コントローラ１００に含まれる各部を制御する役割を担い、コントローラ１００の各部に命令を与える。エンジン制御部１０１は、プリントエンジン１１５やスキャナユニット１１１等を制御若しくは駆動する駆動手段としての役割を担う。入出力制御部１０２は、ネットワークＩ／Ｆ１１７を介して入力される信号や命令を主制御部１３０に入力する。また、主制御部１３０は、入出力制御部１０２を制御し、ネットワークＩ／Ｆ１１７を介して他の装置にアクセスする。
【００２７】
画像処理部１０３は、主制御部１３０の制御に従い、印刷出力すべき画像情報に基づいて描画情報を生成する。この描画情報とは、画像形成出力部であるプリントエンジン１１５が画像形成動作において形成すべき画像を描画するための情報である。また、画像処理部１０３は、スキャナユニット１１１から入力される撮像データを処理し、画像データを生成する。この画像データとは、スキャナ動作の結果物として画像処理装置１に格納され若しくはネットワークＩ／Ｆ１１７を介して他の機器に送信される情報である。操作表示制御部１０４は、ディスプレイパネル１１３に情報表示を行い若しくはディスプレイパネル１１３を介して入力された情報を主制御部１３０に通知する。
【００２８】
画像処理装置１がプリンタとして動作する場合は、まず、入出力制御部１０２が、ネットワークＩ／Ｆ１１７を介して印刷ジョブを受信する。入出力制御部１０２は、受信した印刷ジョブを主制御部１３０に転送する。主制御部１３０は、印刷ジョブを受信すると、画像処理部１０３を制御して印刷ジョブに含まれる文書情報若しくは画像情報に基づいて描画情報を生成する。画像処理部１０３によって描画情報が生成されると、エンジン制御部１０１は、生成された描画情報に基づき、給紙テーブル１１４から搬送される用紙に対して画像形成を実行する。プリントエンジン１１５の具体的態様としては、インクジェット方式による画像形成機構や電子写真方式による画像形成機構等を用いることが可能である。プリントエンジン１１５によって画像形成が施された文書は排紙トレイ１１６に排紙される。
【００２９】
画像処理装置１がスキャナ、すなわち画像読取制御装置として動作する場合は、ユーザによるディスプレイパネル１１３の操作若しくはネットワークＩ／Ｆ１１７を介して外部の機器から入力されるスキャン実行指示に応じて、操作表示制御部１０４若しくは入出力制御部１０２が主制御部１３０にスキャン実行信号を転送する。主制御部１３０は、受信したスキャン実行信号に基づき、エンジン制御部１０１を制御する。エンジン制御部１０１は、ＡＤＦ１１０を駆動し、ＡＤＦ１１０にセットされた撮像対象原稿をスキャナユニット１１１に搬送する。また、エンジン制御部１０１は、スキャナユニット１１１を駆動し、ＡＤＦ１１０から搬送される原稿を撮像する。また、ＡＤＦ１１０に原稿がセットされておらず、スキャナユニット１１１に直接原稿がセットされた場合、スキャナユニット１１１は、エンジン制御部１０１の制御に従い、セットされた原稿を撮像する。即ち、スキャナユニット１１１が撮像部として動作する。
【００３０】
撮像動作においては、スキャナユニット１１１に含まれるＣＣＤ等の撮像素子が原稿を光学的に走査し、光学情報に基づいた撮像情報が生成される。エンジン制御部１０１は、スキャナユニット１１１が生成した撮像情報を画像処理部１０３に転送する。画像処理部１０３は、主制御部１３０の制御に従い、エンジン制御部１０１から受信した撮像情報に基づき画像情報を生成する。画像処理部１０３が生成した画像情報はＨＤＤ４０等の画像処理装置１に装着された記憶媒体に保存される。画像処理部１０３によって生成された画像情報は、ユーザの指示に応じてそのままＨＤＤ４０等に格納され若しくはネットワークＩ／Ｆ１１７を介して、入出力制御部１０２により外部の装置に送信される。
【００３１】
また、画像処理装置１が複写機として動作する場合は、エンジン制御部１０１がスキャナユニット１１１から受信した撮像情報若しくは画像処理部１０３が生成した画像情報に基づき、画像処理部１０３が描画情報を生成する。その描画情報に基づいてプリンタ動作の場合と同様に、エンジン制御部１０１がプリントエンジン１１５を駆動する。
【００３２】
このような構成において、印刷ジョブに基づく印刷処理を実行した際の課金額を、画像処理装置１により読み取られた利用者情報に基づいて認証される利用者が利用するモバイル端末２の利用料金として課金処理を行うことが本実施形態に係る要旨である。以下、本実施形態に係る構成として、本実施形態に係る主制御部１３０の機能構成を説明する。
【００３３】
図４は、本実施形態に係る主制御部１３０の機能構成を例示するブロック図である。図４に示すように、本実施形態に係る主制御部１３０は、印刷要求取得部１３１、課金額算出部１３２、画面生成部１３３、利用者情報取得部１３４、認証処理制御部１３５、印刷処理制御部１３６及び課金処理制御部１３７を含む。
【００３４】
印刷要求取得部１３１は、ネットワークＩ／Ｆ１１７を介して、利用者の指示により入力された印刷ジョブを取得する。すなわち、印刷要求取得部１３１は、印刷ジョブに基づく印刷処理等の画像処理要求を受け付ける画像処理要求受付部として機能する。課金額算出部１３２は、印刷要求取得部１３１により入力された印刷ジョブに含まれる印刷用紙のサイズ、枚数、印刷モード（カラー又はモノクロ）等に基づいて、入力された印刷ジョブに基づく印刷処理の実行により発生する課金額を算出する。
【００３５】
画面生成部１３３は、課金額算出部１３２から入力された課金額を表示するとともに課金額の支払いを促す画面を生成して、操作表示制御部１０４に対して出力する。これにより、ディスプレイパネル１１３に、課金額を表示して支払を促す画面が表示されることになる。また、画面生成部１３３は、後述する各部の処理に応じて必要な画面を生成する。
【００３６】
利用者情報取得部１３４は、ディスプレイパネル１１３に表示されている課金額の支払いを促す画面に応じて利用者がモバイル端末２を近距離通信Ｉ／Ｆ１１８に近づけることにより、近づけられたモバイル端末２の記憶媒体に格納されている利用者情報を読み取って取得する。利用者情報は、上述したように、例えば、利用者を識別する利用者ＩＤ、電話番号及び利用者を認証するための認証情報の設定有無を示す情報を含む。なお、本実施形態においては、認証情報として暗証番号を例とし、暗証番号が設定されている場合を例として説明する。
【００３７】
また、利用者情報取得部１３４は、利用者情報に含まれる暗証番号の設定有無を示す情報が設定有りを示すので、画面生成部１３３に対して暗証番号入力画面を生成するよう通知する。画面生成部１３３は、利用者情報取得部１３４からの通知に応じて、暗証番号入力画面を生成して操作表示制御部１０４に対して出力し、ディスプレイパネル１１３に表示させる。表示された暗証番号入力画面を介して利用者が暗証番号を入力すると、利用者情報取得部１３４は、操作表示制御部１０４を介して入力された暗証番号を取得する。
【００３８】
認証処理制御部１３５は、入力された暗証番号を、近距離通信Ｉ／Ｆ１１８を介してモバイル端末２に対して出力する。そして、モバイル端末２が認証処理制御部１３５から入力された暗証番号及びモバイル端末２の利用者情報を、認証サーバ３に対して送信して認証処理を要求すると、認証サーバ３においてこれらの情報に基づく認証処理が実行される（認証サーバ３における認証処理の詳細は、図５を参照して後述）。すなわち、認証処理制御部１３５は、モバイル端末２を介して認証サーバ３に対して認証処理を要求する認証処理要求部として機能する。
【００３９】
また、認証処理制御部１３５は、認証サーバ３による認証結果を、モバイル端末２を介して取得する。なお、本実施形態において、認証成功を示す認証結果は、要求された印刷処理の実行及び印刷処理の実行に応じた課金が許可されることを意味する。
【００４０】
印刷処理制御部１３６は、認証処理制御部１３５から入力された認証結果に応じて、印刷処理を制御する。具体的には、印刷処理制御部１３６は、入力された認証結果が認証成功を示す場合、印刷要求取得部１３１から入力された印刷ジョブに基づいて画像処理部１０３及びエンジン制御部１０１を制御して、印刷処理を実行する。すなわち、印刷処理制御部１３６は、印刷処理等の画像処理を実行する画像処理実行部として機能する。
【００４１】
一方、印刷処理制御部１３６は、認証結果が認証失敗を示す場合、印刷要求取得部１３１から入力された印刷ジョブに基づく印刷処理を実行せず、画面生成部１３３に対して、認証失敗により印刷処理が実行されなかった旨を表示する画面（以降、「印刷処理中止画面」とする）を生成するよう通知する。画面生成部１３３は、印刷処理制御部１３６からの通知に応じて、印刷処理中止画面を生成して操作表示制御部１０４に対して出力し、ディスプレイパネル１１３に表示させる。
【００４２】
課金処理制御部１３７は、印刷処理制御部１３６から印刷処理が実行された旨の通知を受信すると、利用者情報取得部１３４から入力された利用者情報及び課金額算出部１３２から入力された課金額を、ネットワークＩ／Ｆ１１７を介して課金サーバ４へ送信して、課金処理を要求する（課金サーバ４における課金処理の詳細は、図７を参照して後述）。すなわち、課金処理制御部１３７は、課金サーバ４に対して課金処理を要求する課金処理要求部として機能する。
【００４３】
また、課金処理制御部１３７は、課金サーバ４から課金処理に成功したことを示す課金処理結果を受信すると、画面生成部１３３に対して、課金処理が完了した旨を表示する画面（以降、「課金処理完了画面」とする）を生成するよう通知する。画面生成部１３３は、課金処理制御部１３７からの通知に応じて、課金処理完了画面を生成して操作表示制御部１０４に対して出力し、ディスプレイパネル１１３に表示させる。
【００４４】
一方、課金処理制御部１３７は、課金処理に失敗した場合、課金処理に失敗した旨を表示する画面（以降、「課金処理エラー画面」とする）を生成するよう通知する。画面生成部１３３は、課金処理制御部１３７からの通知に応じて、課金処理エラー画面を生成して操作表示制御部１０４に対して出力し、ディスプレイパネル１１３に表示させる。なお、課金処理に失敗するとは、例えば、後述する課金サーバ４から課金処理に失敗したことを示す課金処理結果を受信する場合の他、課金サーバ４のビジー状態や課金サーバ４と接続するＬＡＮケーブルが抜けたこと等に起因して、課金処理制御部１３７が課金サーバ４と通信できなかった場合を示す。
【００４５】
次に、本実施形態に係る認証サーバ３における認証処理を、図５を参照して説明する。図５は、本実施形態に係る認証サーバ３における認証処理を実現する機能構成を例示するブロック図である。図５に示すように、本実施形態に係る認証サーバ３は、認証要求受付部３０１、利用者一覧ＤＢ３０２、認証処理部３０３及び認証結果送信部３０４を含む。
【００４６】
認証要求受付部３０１は、モバイル端末２から入力された認証処理情報を取得して、認証処理要求を受け付ける。利用者一覧ＤＢ３０２は、このサーバを運用する会社等から提供されるモバイル端末２の利用者の一覧を示す利用者一覧テーブルを記憶する。利用者一覧テーブルには、例えば利用者ＩＤ及び暗証番号がモバイル端末２の利用者ごとに記憶されている。
【００４７】
認証処理部３０３は、認証要求受付部３０１から入力された利用者情報及び暗証番号と、利用者一覧ＤＢ３０２に記憶されている利用者一覧テーブルとに基づいて、利用者の認証処理を行う。以下、図６を参照して、認証処理部３０３による具体的な処理を説明する。図６は、認証処理部３０３による認証処理を例示するフローチャートである。
【００４８】
図６に説明するように、認証処理部３０３は、利用者一覧ＤＢ３０２に記憶されている利用者一覧テーブルを取得する（Ｓ６００）。利用者一覧テーブルを取得した認証処理部３０３は、取得した利用者一覧テーブルの中に、認証要求受付部３０１から入力された利用者情報に含まれる利用者ＩＤと一致する利用者ＩＤが含まれ（Ｓ６０１／ＹＥＳ）、その利用者ＩＤに対応する暗証番号が認証要求受付部３０１から入力された暗証番号と一致する場合（Ｓ６０２／ＹＥＳ）、認証結果送信部３０４に対して認証処理成功を示す認証結果を出力する。（Ｓ６０３）。
【００４９】
一方、利用者一覧テーブルの中に認証要求受付部３０１から入力された利用者情報に含まれる利用者ＩＤと一致する利用者ＩＤが存在しない場合（Ｓ６０１／ＮＯ）、又は一致した利用者ＩＤに対応する暗証番号が認証要求受付部３０１から入力された暗証番号と一致しない場合（Ｓ６０２／ＮＯ）認証処理部３０３は、認証結果送信部３０４に対して認証処理失敗を示す認証結果を通知する（Ｓ６０４）。
【００５０】
認証結果送信部３０４は、近距離通信Ｉ／Ｆ１１８に近づけられたモバイル端末２を介して認証処理制御部１３５に対して、認証処理部３０３から入力された認証結果を送信する。
【００５１】
なお、上記実施形態においては、画像処理装置１からモバイル端末２を介して認証サーバ３に対して認証処理要求が送信されている場合を例としている。しかしながら、これは一例であり、画像処理装置１から直接、認証サーバ３に対して認証処理要求が送信されてもよい。この場合、画像処理装置１は、画像処理装置１の暗証番号入力画面を介して入力された暗証番号、モバイル端末２から入力された利用者情報を、認証サーバ３に対して直接送信する。
【００５２】
また、上記実施形態においては、モバイル端末２の暗証番号が設定されている場合を例としているが、暗証番号が設定されていない場合、利用者一覧テーブルには、暗証番号の項目が含まれず、認証処理部３０３は、利用者一覧テーブルの中に、入力された利用者ＩＤと位置する利用者ＩＤが存在する場合に、認証結果送信部３０４に対して認証処理成功を示す認証結果を出力する。
【００５３】
次に、本実施形態に係る課金サーバ４における課金処理を、図７を参照して説明する。図７は、本実施形態に係る課金サーバ４における課金処理を実現する機能構成を例示するブロック図である。図７に示すように、本実施形態に係る課金サーバ４は、課金要求受付部４０１、利用料金ＤＢ４０２、課金処理部４０３及び課金結果送信部４０４を含む。
【００５４】
課金要求受付部４０１は、課金処理制御部１３７から入力された利用者情報及び課金額を受け付ける。利用料金ＤＢ４０２は、このサーバを運用する会社等から提供されるモバイル端末２の利用者ごとの利用料金の一覧を示す利用料金テーブルを記憶する。図８は、利用料金デーブルを例示する図である。図８に示すように、利用料金テーブルには、例えば利用者ＩＤ、その利用者ＩＤが利用するモバイル端末２の電話番号及びモバイル端末２の月別の利用料金がモバイル端末２の利用者ごとに記憶されている。
【００５５】
課金処理部４０３は、課金要求受付部４０１から入力された利用者情報及び課金額に基づいて、課金処理を行う。以下、図９を参照して、課金処理部４０３による具体的な処理を説明する。図９は、課金処理部４０３による課金処理を例示するフローチャートである。
【００５６】
図９に示すように、課金処理部４０３は、利用料金ＤＢ４０２に記憶されている利用料金テーブルを取得する（Ｓ９００）。利用料金テーブルを取得した課金処理部４０３は、取得した利用料金テーブルの中に、課金要求受付部４０１から入力された利用者情報に含まれる利用者ＩＤと一致する利用者ＩＤが含まれ（Ｓ９０１／ＹＥＳ）、その利用者ＩＤに対応する電話番号が入力された利用者情報に含まれる電話番号と一致する場合（Ｓ９０２／ＹＥＳ）、その利用者ＩＤ及び電話番号に対応する現在月の利用料金に、課金要求受付部４０１から入力された課金額を加算する（Ｓ９０３）。利用料金に課金額を加算した課金処理部４０３は、課金結果送信部４０４に対して課金処理成功を示す課金処理結果を出力する（Ｓ９０４）。
【００５７】
一方、利用料金テーブルの中に課金要求受付部４０１から入力された利用者情報に含まれる利用者ＩＤと一致する利用者ＩＤが存在しない場合（Ｓ９０１／ＮＯ）、又は一致した利用者ＩＤに対応する電話番号が課金要求受付部４０１から入力された電話番号と一致しない場合（Ｓ９０２／ＮＯ）、課金処理部４０３は、課金結果送信部４０４に対して課金処理失敗を示す課金処理結果を通知する（Ｓ９０５）。
【００５８】
課金結果送信部４０４は、課金処理制御部１３７に対して、課金処理部４０３から入力された課金処理結果を送信する。
【００５９】
なお、上記実施形態においては、課金要求受付部４０１は、課金処理制御部１３７から入力された課金額を受け付けて、課金処理部４０３は、課金要求受付部４０１から入力された課金額を、利用料金に加算する場合を例としている。しかしながら、これは一例であり、課金要求受付部４０１は、課金処理制御部１３７から入力された印刷ジョブを受け付けて、課金処理部４０３は、課金要求受付部４０１から入力された印刷ジョブに基づいて課金額を算出し、算出した課金額を、利用料金に加算してもよい。
【００６０】
また、上記実施形態においては、利用料金テーブルの中に、課金要求受付部４０１から入力された利用者情報に含まれる利用者ＩＤと一致する利用者ＩＤが含まれ、その利用者ＩＤに対応する電話番号が入力された利用者情報に含まれる電話番号と一致する場合、該当する利用者の利用料金に課金処理が行われる場合を例としている。この他、認証処理と同様に、暗証番号等の認証情報が入力された認証情報と一致する場合に課金処理が行われるようにしてもよい。
【００６１】
次に、本実施形態に係る画像処理システムの動作例を、図１０を参照して説明する。図１０は、画像処理システムの動作例を示すシーケンス図である。図１０に示すように、画像処理装置１は、利用者からの指示により入力された印刷ジョブを受信する（Ｓ１０００）。印刷ジョブを受信した画像処理装置１は、受信した印刷ジョブに基づく印刷処理を実行した際の課金額及び課金額の支払いを促す画面を表示する（Ｓ１００１）。
【００６２】
課金額及び課金額の支払いを促す画面の表示を受けて、利用者がモバイル端末２を画像処理装置１の近距離通信Ｉ／Ｆ１１８にかざすと、モバイル端末２は、画像処理装置１に対して利用者情報を送信する（Ｓ１００２）。すなわち、画像処理装置１は、近距離通信Ｉ／Ｆ１１８を介して、モバイル端末２から送信された利用者情報を読み取る。モバイル端末２から利用者情報を読み取った画像処理装置１は、暗証番号入力画面を表示する（Ｓ１００３）。暗証番号入力画面を表示した画像処理装置１は、表示した暗証番号入力画面を介して利用者により入力された暗証番号を受け付ける（Ｓ１００４）。
【００６３】
暗証番号を受け付けた画像処理装置１は、モバイル端末２に対して、受け付けた暗証番号を送信するとともに、認証処理要求を送信する（Ｓ１００５）。画像処理装置１から暗証番号及び認証処理要求を受信したモバイル端末２は、認証サーバ３に対して、受信した暗証番号及び利用者情報を送信するとともに、認証処理要求を送信する（Ｓ１００６）。
【００６４】
モバイル端末２から暗証番号、利用者情報及び認証処理要求を受信した認証サーバ３は、受信した暗証番号及び利用者情報に基づいて認証処理を実行する（Ｓ１００７）。認証処理を実行した認証サーバ３は、モバイル端末２を介して画像処理装置１に対して認証成功を示す認証結果を送信する（Ｓ１００８）。モバイル端末２を介して認証サーバ３から認証成功を示す認証結果を受信した画像処理装置１は、Ｓ１０００において受信した印刷ジョブに基づく印刷処理を実行する（Ｓ１００９）。
【００６５】
印刷処理を実行した画像処理装置１は、課金サーバ４に対して、利用者情報及び課金額を送信するとともに、課金処理要求を送信する（Ｓ１０１０）。画像処理装置１から利用者情報、課金額及び課金処理要求を受信した課金サーバ４は、受信した利用者情報及び課金額に基づいて課金処理を実行する（Ｓ１０１１）。課金処理を実行した課金サーバ４は、画像処理装置１に対して課金成功を示す課金処理結果を送信する（Ｓ１０１２）。課金サーバ４から課金成功を示す課金処理結果を受信した画像処理装置１は、課金完了画面を表示する（Ｓ１０１３）。
【００６６】
以上説明したように、本実施形態における画像処理システムにおいては、画像処理装置１に対して画像処理要求を行った利用者が利用するモバイル端末２の利用者情報に基づく画像処理装置１の認証結果に応じて、要求された画像処理を実行し、画像処理の実行に応じた課金額を、認証されたモバイル端末２の利用料金として課金する。これにより、利用者は画像処理装置１による画像処理の実行に応じた課金額をモバイル端末２の利用料金として後払いすることができ、画像処理の実行の際に、課金額を支払うために必要な現金の準備やお釣りの回収、ＩＣカードや携帯端末等の媒体への電子マネーの入金等を行う必要がないので、従来よりも少ない手間で画像処理装置１に対する課金額を支払うことが可能になる。
【００６７】
次に、画像処理システムにおいて課金処理に失敗した場合における実施形態を説明する。上記実施形態においては、課金処理に失敗した場合、画像処理装置１のディスプレイパネル１１３に課金処理エラー画面が表示される。本実施形態においては、課金処理に失敗した場合、画像処理装置１は予め定められた間隔で課金処理を予め定められた回数再実行し、それでも処理に失敗すると印刷機能を停止させ、一定の処理に応じて印刷機能の停止を解除する。
【００６８】
図１１は、課金処理に失敗した場合における上述のような処理を行う主制御部１３０の機能構成を例示するブロック図である。図１１に示すように、主制御部１３０は、図４に示した各部に、未課金処理管理部１３８、未課金情報ＤＢ１３９及び情報出力部１４０が追加された構成をとる。以下、課金処理までの処理については、図４を参照して説明した前述の実施形態と同様なので説明を省略し、課金処理に失敗した場合における各部の動作を説明する。
【００６９】
課金処理制御部１３７は、課金処理に失敗した場合、未課金処理管理部１３８に対して、課金処理に失敗した利用者情報及び課金額を出力する。未課金処理管理部１３８は、課金処理制御部１３７から入力された利用者情報及び課金額を、まだ課金処理が完了していない未課金情報として未課金情報ＤＢ１３９に記憶させる。また、未課金処理管理部１３８は、課金処理制御部１３７に対して再度課金処理を行うよう通知したり、印刷処理制御部１３６に対して、印刷機能の停止命令や停止解除命令を送信したりする（詳細は、図１２を参照して後述）。
【００７０】
また、未課金処理管理部１３８は、印刷処理制御部１３６に対して、印刷機能の停止命令を送信した場合、画面生成部１３３に対して印刷機能が停止している旨を表示する画面（以降、「印刷機能停止画面」とする）を生成するよう通知する。画面生成部１３３は、未課金処理管理部１３８からの通知に応じて、印刷機能停止画面を生成して操作表示制御部１０４に対して出力し、ディスプレイパネル１１３に表示させる。
【００７１】
また、未課金処理管理部１３８は、印刷処理制御部１３６に対して、印刷機能の停止解除命令を送信した場合、画面生成部１３３に対して印刷機能の停止が解除された旨を表示する画面（以降、「印刷機能停止解除画面」とする）を生成するよう通知する。画面生成部１３３は、未課金処理管理部１３８からの通知に応じて、印刷機能停止解除画面を生成して操作表示制御部１０４に対して出力し、ディスプレイパネル１１３に表示させる。なお、このような印刷機能停止画面及び印刷機能停止解除画面の画面生成部１３３に対する生成通知は、それぞれの命令を受けた印刷処理制御部１３６により行われてもよい。
【００７２】
未課金情報ＤＢ１３９は、未課金処理管理部１３８の処理により、未課金情報を記憶したり削除したりする。情報出力部１４０は、印刷機能が停止した場合に、画像処理装置１の管理者等の指示に応じて未課金情報ＤＢ１３９に記憶されている未課金情報を、画像処理装置１の外部へ出力する。具体的には、例えば、情報出力部１４０は、記憶されている未課金情報を用紙に印刷して出力したり、画像処理装置１のインタフェースに接続されたＵＳＢ（Ｕｎｉｖｅｒｓａｌ  Ｓｅｒｉａｌ  Ｂｕｓ）メモリやＳＤ（Ｓｅｃｕｒｅ  Ｄｉｇｉｔａｌ）カードに書き出したりする。
【００７３】
未課金情報の出力処理が完了すると、情報出力部１４０は、画面生成部１３３に対して未課金情報の出力処理が完了した旨を表示する画面（以降、「情報出力完了画面」とする）を生成するよう通知する。画面生成部１３３は、情報出力部１４０からの通知に応じて、情報出力完了画面を生成して、操作表示制御部１０４に対して出力し、ディスプレイパネル１１３に表示させる。
【００７４】
また、情報出力部１４０は、未課金情報の出力処理が完了すると、未課金処理管理部１３８に対してその旨を通知する。その旨を受けて未課金処理管理部１３８は、印刷処理制御部１３６に対して印刷機能の停止解除命令を送信する。そして、印刷機能の停止解除命令を受信した印刷処理制御部１３６は、エンジン制御部１０１を制御して印刷機能の停止を解除する。
【００７５】
なお、画像処理装置１の管理者の指示に応じて情報出力部１４０により未課金情報が出力された場合、画像処理装置１の管理者は、情報出力部１４０により用紙等に出力された未課金情報を、モバイル端末２を提供する会社へ送付する等することにより、課金額を請求する。
【００７６】
次に、未課金処理管理部１３８の動作を、図１２を参照して説明する。図１２は、未課金処理管理部１３８の動作を例示するフローチャートである。図１２に示すように、未課金処理管理部１３８は、課金処理制御部１３７から入力された利用者情報及び課金額を、未課金情報として未課金情報ＤＢ１３９に記憶させる（Ｓ１２００）。
【００７７】
未課金情報を記憶させた未課金処理管理部１３８は、課金処理制御部１３７から未課金情報が入力されてから予め定められた時間経過するまで待機し（Ｓ１２０１／ＮＯ）、予め定められた時間経過すると（Ｓ１２０１／ＹＥＳ）、Ｓ１２００において記憶させた未課金情報を、課金処理制御部１３７に対して出力するとともに、再度課金処理を行うよう要求する（Ｓ１２０２）。
【００７８】
再度課金処理を行うよう要求した未課金処理管理部１３８は、課金処理の再実行回数を１加算する（Ｓ１２０３）。再実行回数を１加算した未課金処理管理部１３８は、課金処理制御部１３７から課金処理結果を取得する（Ｓ１２０４）。課金処理結果を取得した未課金処理管理部１３８は、取得した課金処理結果が課金処理の成功を示す場合（Ｓ１２０５／ＹＥＳ）、未課金情報ＤＢ１３９から課金処理に成功した未課金情報を削除する（Ｓ１２０６）。
【００７９】
一方、取得した課金処理結果が課金処理の失敗を示す場合であって（Ｓ１２０５／ＮＯ）、課金処理の再実行回数が予め定められた上限回数を超えている場合（Ｓ１２０７／ＹＥＳ）、未課金処理管理部１３８は、印刷処理制御部１３６に対して、印刷機能の停止命令を送信する（Ｓ１２０８）。これを受けた印刷処理制御部１３６は、エンジン制御部１０１を制御して印刷機能を停止させる。
【００８０】
一方、取得した課金処理結果が課金処理の失敗を示す場合であって（Ｓ１２０５／ＮＯ）、課金処理の再実行回数が予め定められた上限回数以下の場合（Ｓ１２０７／ＮＯ）、未課金処理管理部１３８は、課金処理制御部１３７から課金処理結果を取得してから予め定められた時間経過するまで待機する（Ｓ１２０１）。
【００８１】
なお、上記実施形態においては、未課金処理管理部１３８は、課金処理の再実行回数が予め定められた上限回数を超えている場合に、印刷処理制御部１３６に対して印刷機能の停止命令を送信する場合を例としている。その他、未課金処理管理部１３８は、課金処理に失敗するごとに、未課金情報ＤＢ１３９に未課金情報を記憶させ、記憶されている未課金情報の数が上限数を超えている場合に、印刷処理制御部１３６に対して印刷機能の停止命令を送信してもよい。
【００８２】
次に、本実施形態に係る画像処理システムの動作例を、図１３を参照して説明する。図１３は、本実施形態に係る画像処理システムの動作例を示すシーケンス図である。ここでは、課金サーバ４から課金失敗の課金処理結果を受けた後、再度課金処理を要求して課金処理が成功した場合を例とする。また、課金処理までの動作は図１０に示した動作例と同様である。
【００８３】
図１３に示すように、画像処理装置１は、印刷処理を実行すると、課金サーバ４に対して、利用者情報及び課金額を送信するとともに、課金処理要求を送信する（Ｓ１３００）。画像処理装置１から利用者情報、課金額及び課金処理要求を受信した課金サーバ４は、受信した利用者情報及び課金額に基づいて課金処理を実行する（Ｓ１３０１）。課金処理を実行した課金サーバ４は、画像処理装置１に対して課金失敗を示す課金処理結果を送信する（Ｓ１３０２）。
【００８４】
課金サーバ４から課金失敗を示す課金処理結果を受信した画像処理装置１は、失敗した課金処理が行われた利用者情報及び課金額を、未課金情報として記録する（Ｓ１３０３）。未課金情報を記録した画像処理装置１は、予め定められた時間が経過すると、課金サーバ４に対して、Ｓ１３０３において記録した未課金情報を送信するとともに、再度課金処理要求を送信する（Ｓ１３０４）。
【００８５】
画像処理装置１から未課金情報及び課金処理要求を再度受信した課金サーバ４は、未課金情報に含まれる利用者情報及び課金額に基づいて課金処理を再度実行する（Ｓ１３０５）。課金処理を実行した課金サーバ４は、画像処理装置１に対して課金成功を示す課金処理結果を送信する（Ｓ１３０６）。課金サーバ４から課金成功を示す課金処理結果を受信した画像処理装置１は、Ｓ１３０３において記録した未課金情報を削除する（Ｓ１３０７）。そして、画像処理装置１は、課金完了画面を表示する（Ｓ１３０８）。
【００８６】
次に、本実施形態に係る画像処理システムの別の動作例を、図１４を参照して説明する。図１４は、本実施形態に係る画像処理システムの別の動作例を示すシーケンス図である。ここでは、課金サーバ４から課金失敗の課金処理結果を受けた後、予め定められた回数課金処理が実行されたにも関わらず、課金処理に失敗した場合を例とする。また、課金処理までの動作は図１０に示した動作例と同様である。
【００８７】
図１４に示すように、画像処理装置１は、印刷処理を実行すると、課金サーバ４に対して、利用者情報及び課金額を送信するとともに、課金処理要求を送信する（Ｓ１４００）。画像処理装置１から利用者情報、課金額及び課金処理要求を受信した課金サーバ４は、受信した利用者情報及び課金額に基づいて課金処理を実行する（Ｓ１４０１）。課金処理を実行した課金サーバ４は、画像処理装置１に対して課金失敗を示す課金処理結果を送信する（Ｓ１４０２）。
【００８８】
課金サーバ４から課金失敗を示す課金処理結果を受信した画像処理装置１は、失敗した課金処理が行われた利用者情報及び課金額を、未課金情報として記録する（Ｓ１４０３）。未課金情報を記録した画像処理装置１は、予め定められた時間が経過すると、課金サーバ４に対して、Ｓ１４０３において記録した未課金情報を送信するとともに、再度課金処理要求を送信する（Ｓ１４０４）。
【００８９】
画像処理装置１から未課金情報及び課金処理要求を再度受信した課金サーバ４は、未課金情報に含まれる利用者情報及び課金額に基づいて課金処理を再度実行する（Ｓ１４０５）。課金処理を実行した課金サーバ４は、画像処理装置１に対して課金失敗を示す課金処理結果を送信する（Ｓ１４０６）。課金サーバ４から課金失敗を示す課金処理結果を受信した画像処理装置１は、予め定められた回数再度課金処理を要求するが、課金処理が成功しない場合、印刷機能を停止する（Ｓ１４０７）。
【００９０】
印刷機能を停止した画像処理装置１は、印刷機能が停止している旨の画面を表示する（Ｓ１４０８）。そして、画像処理装置１の管理者は、この画面を受けて未課金情報を画像処理装置１の外部へ書き出すと、画像処理装置１は、Ｓ１４０３において記録した未課金情報を削除するとともに、印刷機能の停止を解除し、その旨を表示する。
【００９１】
このような構成により、課金処理に失敗した場合であっても、利用者が再度課金処理を行うよう指示することなく、課金サーバ４に対して課金処理が再度要求されるので、利用者の手間が軽減される。また、課金処理に何度も失敗する場合は、画像処理装置１の印刷機能が停止するので、この後に再度印刷処理が行われ、その印刷処理も課金処理に失敗する事態を防止することができる。
【００９２】
なお、上記実施形態においては、認証サーバ３において認証処理を行う際、認証処理部３０３は、認証要求受付部３０１から入力された利用者情報及び暗証番号と、利用者一覧ＤＢ３０２に記憶されている利用者一覧テーブルとに基づいて認証処理を行う場合を例とした。その他、認証処理部３０３は、モバイル端末２の利用料金として課金可能な画像処理装置１を識別する装置識別情報（例えば、装置ＩＤ）をさらに用いて、認証処理を行ってもよい。
【００９３】
この場合、例えば、認証処理制御部１３５は、モバイル端末２に対して、暗証番号に加えて、装置ＩＤを出力する。なお、装置ＩＤは、画像処理装置１のＲＯＭ３０等の不揮発性記憶媒体に記憶されているものとする。また、例えば、認証サーバ３に含まれる図示しない装置情報ＤＢには、モバイル端末２の利用料金として課金可能な画像処理装置１の装置ＩＤの一覧を示す装置情報テーブルが記憶されている。そして、認証処理部３０３は、上記実施形態における利用者情報及び暗証番号に基づく認証に成功し、さらに、装置情報テーブルの中に、モバイル端末２から入力された装置ＩＤと一致する装置ＩＤが存在する場合、認証結果送信部３０４に対して認証処理成功を示す認証結果を出力する。
【００９４】
また、課金処理部４０３が課金処理を行う際にも、認証処理と同様に装置ＩＤをさらに用いてもよく、課金処理部４０３は、利用料金テーブルの中に、利用者ＩＤと一致する利用者ＩＤ及び電話番号の組が存在し、さらに、装置情報テーブルの中に、課金処理制御部１３７から入力された装置ＩＤと一致する装置ＩＤが存在する場合に、課金結果送信部４０４に対して課金処理成功を示す課金処理結果を送信する。
【００９５】
このような構成により、利用認証や課金処理を行う際に、モバイル端末２の利用料金として課金可能な画像処理装置１であるかを判断するので、画像処理装置１に対する課金額を、モバイル端末２の利用料金としてより確実に徴収することが可能になる。
【００９６】
また、上記実施形態においては、利用者情報には、利用者ＩＤ、電話番号及び利用者を認証するための認証情報の設定有無を示す情報が含まれているが、モバイル端末２が通話機能を有さないタブレット端末等であり電話番号がない場合、利用者情報から電話番号を除いてもよく、電話番号の代わりに端末を識別する端末ＩＤを含めてもよい。この場合、利用料金テーブルも、このような利用者情報に対応した項目が含まれることになる。
【００９７】
また、上記実施形態においては、利用者ＩＤを識別情報として認証処理及び課金処理が行われる場合を例としている。しかしながら、これは一例であり、モバイル端末２を識別する端末ＩＤを識別情報として認証処理及び課金処理が行われる等、画像処理装置１における画像処理の実行による課金額を利用料金として課金する対象となるモバイル端末２を特定できる識別情報であればよい。すなわち、利用者ＩＤを含む利用者情報を取得する利用者情報取得部１３４は、モバイル端末を識別するための端末識別情報を取得する識別情報取得部として機能する。
【００９８】
また、上記実施形態においては、画像処理装置１に含まれるプリンタ機能による印刷処理を、画像処理装置による画像処理の例として説明した。しかしながら、これは一例であり、複写機能による複写処理やスキャナ機能による画像読取処理等、課金対象となる画像処理であればよい。
【００９９】
また、上記実施形態に係る画像処理システムにおいて各処理を行う機能構成は、上述の構成に限るものではなく、例えば、モバイル端末２に専用のアプリケーションがインストールされモバイル端末２が画像処理装置１の操作部として機能する場合に、画像処理の実行に必要な課金額の算出処理や、課金サーバ４に対する課金処理要求をモバイル端末２が行うようにしてもよい。
【符号の説明】
【０１００】
１  画像処理装置
２  モバイル端末
３  認証サーバ
４  課金サーバ
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  エンジン制御部
１０２  入出力制御部
１０３  画像処理部
１０４  操作表示制御部
１１０  ＡＤＦ
１１１  スキャナユニット
１１２  排紙トレイ
１１３  ディスプレイパネル
１１４  給紙テーブル
１１５  プリントエンジン
１１６  排紙トレイ
１１７  ネットワークＩ／Ｆ
１１８  近距離通信Ｉ／Ｆ
１３０  主制御部
１３１  印刷要求取得部
１３２  課金額算出部
１３３  画面生成部
１３４  利用者情報取得部
１３５  認証処理制御部
１３６  印刷処理制御部
１３７  課金処理制御部
１３８  未課金処理管理部
１３９  未課金情報ＤＢ
１４０  情報出力部
３０１  認証要求受付部
３０２  利用者一覧ＤＢ
３０３  認証処理部
３０４  認証結果送信部
４０１  課金要求受付部
４０２  利用料金ＤＢ
４０３  課金処理部
４０４  課金結果送信部
【先行技術文献】
【特許文献】
【０１０１】
【特許文献１】特開２００７−０４８１８８号公報
【図１】
2015022506.tif 000003
【図２】
2015022506.tif 000004
【図３】
2015022506.tif 000005
【図４】
2015022506.tif 000006
【図５】
2015022506.tif 000007
【図６】
2015022506.tif 000008
【図７】
2015022506.tif 000009
【図８】
2015022506.tif 000010
【図９】
2015022506.tif 000011
【図１０】
2015022506.tif 000012
【図１１】
2015022506.tif 000013
【図１２】
2015022506.tif 000014
【図１３】
2015022506.tif 000015
【図１４】
2015022506.tif 000016